(57)【要約】【課題】スロットイン方式のディスク装置や、スロットイン方式のディスク装置を備えるテレビジョンにおいて待機電力の削減を図る。【解決手段】スロットイン方式のＤＶＤドライブ６０を備えるテレビジョン１０において、メニュー画面より「通常設定」と「節電設定」とを選択可能とする。節電設定では、電源オン時はディスク挿入を監視するために発光している赤外線ＬＥＤ７０を、テレビジョンマイコン４８にて実行される制御プログラムにて常時発光させるとともに、スタンバイ時は赤外線ＬＥＤ７０の発光間隔を徐々に長くし、所定時間経過後に発光を停止させる。一方、通常設定では従来どおり電源オン時は赤外線ＬＥＤ７０を常時発光させ、スタンバイ時は所定の時間間隔を置いて間歇的に発光させる。【選択図】図７
2007141413.tif 000002
【特許請求の範囲】
【請求項１】
映像を画面に表示する平坦な表示面を前面に向けた液晶表示パネルと、
音声を出力するスピーカと、
テレビ放送を受信して映像を上記液晶表示パネルに表示させるとともに音声を上記スピーカにて出力させる主基板と、
上記液晶表示パネルと上記スピーカと上記主基板とを収容する樹脂製のキャビネットと、
赤外線センサと赤外線ＬＥＤとが対向して設置され、上記赤外線センサと上記赤外線ＬＥＤとの間にディスクが挿入されるとディスクの挿入を検知してディスクを内部に引き込むスロットイン方式のＤＶＤドライブと、
所定の経過時間を計時するタイマと、
上記赤外線ＬＥＤの発光タイミングを制御するマイコンとを備えるＤＶＤ一体型テレビジョンにおいて、
上記マイコンは、
複数の発光タイミングを組み合わせた節電設定と通常設定とを選択して実行可能であり、
上記節電設定においては、上記テレビジョンの電源がオンの時は上記赤外線ＬＥＤを常時発光させ、上記テレビジョンがスタンバイ時にはまず一定の時間間隔を置いて上記赤外線ＬＥＤを間歇的に発光させたのち、徐々に赤外線ＬＥＤの発光間隔を長くして間歇的に発光させ、さらに所定の時間経過後に上記赤外線ＬＥＤの発光を停止させ、ディスクが上記ＤＶＤドライブに挿入されている間は上記赤外線ＬＥＤの発光を停止させ、
上記通常設定においては、上記テレビジョンの電源がオンの時は上記赤外線ＬＥＤを常時発光させ、上記テレビジョンがスタンバイ時には常に所定の時間間隔を置いて上記赤外線ＬＥＤを間歇的に発光させ、ディスクが上記ＤＶＤドライブに挿入されている間は上記赤外線ＬＥＤの発光を停止させる
ことを特徴とするＤＶＤ一体型テレビジョン。
【請求項２】
外部の商用電源等から電源電圧の供給を受けて各回路へ供給可能な電源回路と、
スロットイン方式のディスク状記録媒体読取装置と、
上記ディスク状記録媒体読取装置へのディスク状記録媒体挿入を検知する赤外線ＬＥＤと赤外線センサとから成るディスク状記録媒体挿入検知センサと、
所定の経過時間を計時するタイマと、
上記タイマの計時結果に基づいて計時が長くなるにしたがって発光間隔の時間を長くする発光間隔設定手段と、
上記発光間隔に基づいて上記赤外線ＬＥＤを間欠的に発光させる発光制御手段
とを備えることを特徴とするテレビジョン。
【請求項３】
上記発光制御手段は、上記ディスク状記録媒体読取装置がディスク状記録媒体をロード中は上記赤外線ＬＥＤの発光を停止させることを特徴とする上記請求項２に記載のテレビジョン。
【請求項４】
上記テレビジョンは、
上記タイマの計時結果に関わらず一定の発光間隔で上記赤外線ＬＥＤを発光させる第二発光制御手段と、
上記発光制御手段と上記第二発光制御手段とを切り換えて選択する発光方法選択手段とを備えることを特徴とする上記請求項２または３に記載のテレビジョン。
【請求項５】
上記発光制御手段は、上記発光間隔が所定の間隔以上になると、上記赤外線ＬＥＤの発光を停止させることを特徴とする上記請求項２〜４のいずれかに記載のテレビジョン。
【請求項６】
上記タイマは時刻を保持し、
上記テレビジョンは、
上記発光制御手段を開始する開始日時と終了する終了日時とを記憶する記憶手段と、
上記記憶媒体より上記開始日時と上記終了日時とを取得するとともに、上記タイマ手段の日時が上記開始日時となると上記発光制御手段を実行し、上記終了日時となると上記発光制御手段を停止する予約実行手段と
を備えることを特徴とする上記請求項２〜５のいずれかに記載のテレビジョン。
【発明の詳細な説明】
【技術分野】
【０００１】
本発明は、スロットイン方式のＤＶＤドライブを備え、省電力設定を行えるテレビジョンおよびＤＶＤ一体型テレビジョンに関する。
【背景技術】
【０００２】
近年、ＤＶＤとテレビジョンのコンボモデルなどにおいて、テレビジョンに液晶テレビジョンを使用することが多くなってきたため、薄型のスロットインタイプのＤＶＤ機器が使用されることが多くなってきている。スロットインタイプのＤＶＤ機器は、ディスクトレイ式のＤＶＤ機器と違い、待機中はディスクの挿入を赤外線ＬＥＤと赤外線センサによって検知して機器を起動するものが一般的である。このディスク挿入検知するための赤外線ＬＥＤは、電源がオンのときは常時発光し、スタンバイ時は一定の時間間隔をおいて間歇的に発光する。
【０００３】
特許文献１にはＣＤやＭＤなどのディスクに記録されたオーディオ情報を再生するポータブルディスクプレーヤにおいて、通常モードと本体機能を制限して動作させる節電モードとを、ユーザが選択可能とすることについて開示されている。節電モードにおいてユーザが制限可能な機能としては液晶表示、キー操作、レジューム機能、ランダム再生機能、ボリューム機能などが挙げられている。
【０００４】
特許文献２には、複数種類の情報記録媒体に対応するドライブ装置において、待機中に処理を行わない処理系の稼動状態をスリープ状態とすることで省電力を行えるようにすることについて開示されている。
【特許文献１】実用新案登録第３０６０８９２号
【特許文献２】特開２００４−３１０４０３
【発明の開示】
【発明が解決しようとする課題】
【０００５】
スロットイン方式のディスク機器において、ディスクの挿入を検知するためには、待機中にもディスクの挿入を監視しなければならない。このため、赤外線ＬＥＤと赤外線センサーはディスクの挿入を監視するため待機中も発光し続けることになり、省電力の妨げとなっていた。
上記特許文献に記載された装置は、ポータブルオーディオプレーヤーやディスクドライブ装置全般に関する技術であって、スロットイン方式のディスク装置での省電力化についての技術ではなく、ディスクの挿入を監視する赤外線ＬＥＤを含むセンサに関する記載はない。
昨今の省エネ志向においては、テレビジョンを使用しないときには主電源を切ったりコンセントを抜いたりする人も多く、待機電力の更なる削減が望まれていた。本発明では、スロットイン方式のディスク装置や、スロットイン方式のディスク装置を備えるテレビジョンにおいて、さらなる省電力化を目的とする。
【課題を解決するための手段】
【０００６】
上記目的を達成するために、本発明では、映像を画面に表示する平坦な表示面を前面に向けた液晶表示パネルと、音声を出力するスピーカと、テレビ放送を受信して映像を上記液晶表示パネルに表示させるとともに音声を上記スピーカにて出力させる主基板と、上記液晶表示パネルと上記スピーカと上記主基板とを収容する樹脂製のキャビネットと、赤外線センサと赤外線ＬＥＤとが対向して設置され、上記赤外線センサと上記赤外線ＬＥＤとの間にディスクが挿入されるとディスクの挿入を検知してディスクを内部に引き込むスロットイン方式のＤＶＤドライブと、所定の経過時間を計時するタイマと、上記赤外線ＬＥＤの発光タイミングを制御するマイコンとを備えるＤＶＤ一体型テレビジョンにおいて、上記マイコンは、複数の発光タイミングを組み合わせた節電設定と通常設定とを選択して実行可能であり、上記節電設定においては、上記テレビジョンの電源がオンの時は上記赤外線ＬＥＤを常時発光させ、上記テレビジョンがスタンバイ時にはまず一定の時間間隔を置いて上記赤外線ＬＥＤを間歇的に発光させたのち、徐々に赤外線ＬＥＤの発光間隔を長くして間歇的に発光させ、さらに所定の時間経過後に上記赤外線ＬＥＤの発光を停止させ、ディスクが上記ＤＶＤドライブに挿入されている間は上記赤外線ＬＥＤの発光を停止させ、上記通常設定においては、上記テレビジョンの電源がオンの時は上記赤外線ＬＥＤを常時発光させ、上記テレビジョンがスタンバイ時には常に所定の時間間隔を置いて上記赤外線ＬＥＤを間歇的に発光させ、ディスクが上記ＤＶＤドライブに挿入されている間は上記赤外線ＬＥＤの発光を停止させる構成としてある。
【０００７】
上記一定の時間間隔としては、１秒であっても２秒であってその他のいかなる間隔であってもよく、様々な時間間隔を採用可能であり、徐々に間隔を長くするように変更しても構わない。上記所定の時間としては５分でも１０分でも１時間でも、いかなる時間であっても構わない。
【０００８】
また、上記目的を達成するために、請求項２に記載のテレビジョンでは、外部の商用電源等から電源電圧の供給を受けて各回路へ供給可能な電源回路と、スロットイン方式のディスク状記録媒体読取装置と、上記ディスク状記録媒体読取装置へのディスク状記録媒体挿入を検知する赤外線ＬＥＤと赤外線センサとから成るディスク状記録媒体挿入検知センサと、所定の経過時間を計時するタイマと、上記タイマの計時結果に基づいて計時が長くなるにしたがって発光間隔の時間を長くする発光間隔設定手段と、上記発光間隔に基づいて上記赤外線ＬＥＤを間欠的に発光させる発光制御手段とを備える構成としてある。
【０００９】
上記発光間隔設定手段は、上記タイマの計時する所定の経過時間に基づいて計時が長くなるに従って発光間隔の時間を長くし、上記発光制御手段が上記発光間隔に基づいて赤外線ＬＥＤを間欠的に発光させて、上記ディスク状記録媒体読取装置へのディスク状記録媒体挿入を、上記ディスク状記録媒体挿入検知センサが検知する。
【００１０】
上記ディスク状記録媒体としては、ＤＶＤであってもＣＤであってもよく、ディスク状の記録媒体であればいかなる形態のものであっても構わない。また上記間歇発光手段は、上記赤外線ＬＥＤを間歇的に発光させることが可能であればいかなるものであってもよく、マイコンであってもＩＣであっても電子回路であっても構わない。
【発明の効果】
【００１１】
以上説明したように、本発明では、スロットイン方式のＤＶＤドライブにおいて、ディスクの挿入を監視するセンサの一部として使用されている赤外線ＬＥＤの発光を、スタンバイ時には、徐々に発光と発光の間隔を長くし最終的には発光を停止させる節電設定と、一定の間隔で間歇的に発光させ続ける通常設定とを設け、節電設定と通常設定とを選択可能にした。節電設定を選択すると、従来１Ｗ程度であった待機電力を０．１〜０．２Ｗ削減することが可能となる。また、従来どおりのスタンバイ方法である通常設定も選択可能としたため、ユーザの利便性が損なわれることもない。
また請求項２にかかる発明によれば、赤外線ＬＥＤの発光間隔を徐々に延ばすため、スタンバイ時やＤＶＤドライブを使用せずにテレビジョンのみを使用している場合などに、ユーザの利便性を損なわずに徐々に待機電力を減らしていくことが出来る。
そして請求項３にかかる発明によれば、ＤＶＤドライブにディスクが挿入されている間はディスクの挿入を監視する必要がないため、この間の赤外線ＬＥＤの発光を停止させ、消費電力を削減することが可能となる。
さらに請求項４にかかる発明によれば、赤外線ＬＥＤを間歇的に発光させるとき、発光間隔を徐々に延ばしていく設定と、一定の間隔で発光させ続ける設定とを選択可能となるため、発光間隔が長くなると利便性が落ちると感じるユーザにも対応可能となる。
また請求項５にかかる発明によれば、赤外線ＬＥＤを間歇的に発光させるとき、発光間隔を徐々に延ばしていくとともに、最終的には赤外線ＬＥＤの発光を完全に停止させるため、待機電力を大きく削減することが可能となる。
そして請求項６にかかる発明によれば、ユーザの生活スタイルに合わせて赤外線ＬＥＤの発光を方法を指定できるため、ユーザの利便性を損なうことなく、待機電力の削減を行うことが可能となる。
【発明を実施するための最良の形態】
【００１２】
以下、下記の順序に従って本発明の実施形態を説明する。
（１）ＤＶＤ一体型テレビジョンの構成：
（２）赤外線ＬＥＤの発光タイミング：
（３）節電設定選択処理：
（４）変形例：
（５）まとめ：
【００１３】
（１）ＤＶＤ一体型テレビジョンの構成：
以下、本考案の一実施形態にかかるＤＶＤ一体型テレビジョンについて説明する。図１は、ＤＶＤ一体型テレビジョンを斜め前方より見た斜視図である。同図において、テレビジョン１０は、キャビネット１２と映像を画面に表示する平坦な表示面を前面に向けた液晶表示パネル１４と脚部１６とから構成されている。キャビネット１２は、液晶表示パネル１４をその表示面が前面側に露出するように保持しており、キャビネット内部に音声を出力するスピーカ（不図示）が設置されている。脚部１６は、キャビネット１２を支持しており、それにより液晶表示パネル１４の表示面が略鉛直に配向させられている。キャビネット右側面上方にはスロットイン方式のＤＶＤドライブ６０のフロントパネルに対応する矩形の穴が形成され、テレビジョン１０内部に設置されたＤＶＤドライブに外部からディスクを挿入できるようになっている。
【００１４】
図２は、本発明の実施形態にかかるテレビジョン１０の概略構成をブロック図により示している。テレビジョン１０は、概略、テレビジョン部３０とＤＶＤ部６０とリモコン８０とからなる。
テレビジョン部３０は、概略、アンテナ３３の接続されたチューナ回路３２と、画像データ生成回路３４と、パネル駆動回路３６と、液晶表示パネル１４と、電源回路４２と、テレビジョンマイコン４８と、ＥＥＰＲＯＭ４４と、赤外線受光回路４６と、インバータ回路４０と、バックライト３８と、タイマ回路５０とからなる。上記構成においてテレビジョンマイコン４８は、テレビジョン部３０を構成する各部および後述するＤＶＤマイコン６２や赤外線センサ６８や赤外線ＬＥＤ７０などと電気的に接続しており、テレビジョンマイコン４８内部の構成部品としてのＣＰＵが、同じくテレビジョンマイコン４８内の構成部品であるＲＯＭやＲＡＭなどに書き込まれた各プログラムに従って、テレビジョン１０全体を制御する。
【００１５】
またテレビジョンマイコン４８はＯＳＤ（オンスクリーンディスプレイ）回路を備えており、ＯＳＤ回路は、画像データ生成回路３４に接続され、液晶表示パネル１４の画面にＯＳＤ表示する画像を表すＯＳＤ信号を生成し映像信号に重畳する。テレビジョンマイコン４８は、ＣＰＵの制御により、赤外線受光回路４６から電圧信号を入力されて対応するキー操作を検知するとリモコン８０からの操作入力を受け付け、受け付けた操作入力に対応したＯＳＤ信号を生成する。なお、テレビジョンマイコン４８におけるＣＰＵやＲＯＭやＲＡＭやＯＳＤ回路については図示を省略している。
【００１６】
チューナ回路３２は、テレビジョンマイコン４８の制御によりアンテナ３３よりテレビ放送を受信し、所定の信号増幅処理等を行いつつ、テレビジョン放送信号から中間周波信号としての映像信号を抽出し、画像データ生成回路３４へ出力する。画像データ生成回路３４は、入力された映像信号をその信号レベルに応じてデジタル信号化するとともに、映像信号から抽出した輝度信号と色差信号とに基づいてマトリクス変換処理を行ない、画像データとしてのＲＧＢ（レッド、グリーン、ブルー）信号を生成する。
【００１７】
パネル駆動回路３６では、画像データ生成回路３４から上記ＲＧＢ信号を入力されると、ＲＧＢ信号に対して液晶表示パネル１４の画素数（横縦比、ｍ：ｎ）に合わせたスケーリング処理を行い、液晶表示パネル１４に表示する１画面分の画像データを生成する。そして、このように生成された画像データを液晶表示パネル１４に出力することにより、液晶表示パネル１４に画像データに基づく画像表示をさせる。
【００１８】
電源回路４２は、外部の商用電源等から電源電圧（交流）の供給を受けるとともに、同供給された電源電圧を、テレビジョンマイコン４８を始めインバータ回路４０等、各回路へ供給する。電源回路４２は、必要に応じて各回路へ供給する電圧を交流から直流へと変換する。
インバータ回路４０は、電源回路４２から供給された直流電圧を交流電圧に変換し、駆動信号としての当該交流電圧をバックライト３８に供給し、バックライト３８を点灯させる。バックライト３８は、液晶表示パネル１４を背面から照射する光源の役割を果たす。
ここで、主基板には、概略、チューナ回路３２と、画像データ生成回路３４と、パネル駆動回路３６と、電源回路４２と、テレビジョンマイコン４８と、タイマ回路５０とが搭載されるものとする。
【００１９】
またＤＶＤ部は、概略、ＤＶＤマイコン６２と、ディスク回転モータ６４と、ローディングモータ６６と、赤外線センサ６８と、赤外線ＬＥＤ７０と、光ピックアップ７２と、ディスク排出ボタン７４とから成る。上記構成において、ＤＶＤマイコン６２は、ＤＶＤ部６０を構成する各部と電気的に接続されており、テレビジョンマイコン４８の制御信号に従ってＤＶＤマイコン６２内部の構成部品としてのＣＰＵが、同ＤＶＤマイコン６２内の構成部品であるＲＯＭやＲＡＭなどに書き込まれた各プログラムに従って、ＤＶＤ部６０全体を制御する。なお、ＣＰＵやＲＯＭやＲＡＭについては図示を省略している。
【００２０】
図３にスロットイン方式ＤＶＤドライブの断面図を示す。ディスク挿入口付近には赤外線ＬＥＤ７０と赤外線センサ６８が対向して設置され、赤外線ＬＥＤ７０から赤外線センサ６８に向けて赤外光が発光されている。ディスクがディスク挿入口より挿入されると、赤外線センサ６８は赤外線ＬＥＤ７０からの赤外線を受光できなくなり、赤外線を受光していない旨の信号を出力する。ＤＶＤマイコン６２またはテレビジョンマイコン４８は、赤外線センサ６８が出力する信号を監視しており、赤外線センサ６８からの受光していない旨の信号を検知することでディスクの挿入を検知する。
【００２１】
電源オン時には、赤外線ＬＥＤ７０および赤外線センサ６８はＤＶＤマイコン６２によって制御されるが、スタンバイ時にはＤＶＤマイコン６２への電力の供給が停止されるため、赤外線ＬＥＤ７０および赤外線センサ６８はテレビジョンマイコン４８によって直接制御されるとともに、赤外線センサ６８の出力する電圧信号はテレビジョンマイコン４８に出力される。
【００２２】
ＤＶＤマイコン６２またはテレビジョンマイコン４８は、ディスクの挿入を検知するとローディングモータ６６を回転させてディスクをＤＶＤドライブ６０の内部に引き込む。そしてディスク回転モータ６４がディスク中央の穴に接触してディスクを回転させ、光ピックアップ７２がディスクの径方向や回転方向に移動しながらディスクに光を照射して、その反射光を検出することによりディスクに書き込まれた情報を取得する。そしてディスク排出ボタン７４が押し下げ操作されると、ローディングモータ６６はディスクを挿入したときとは逆方向に回転し、ディスクを排出する。
【００２３】
リモコン８０は操作を受け付ける複数のキーと、上記赤外線信号を上記赤外線受光回路に向けて送信する赤外線送信回路とを有し、同複数のキーの操作に応じた赤外線信号を所定のフォーマットで送出する。例えば、図４に図示するリモコン８０を用いて所望のチャンネルを受信させるべく操作すると、赤外線送信部８５より対応する赤外線リモコン信号が送出される。そして、テレビジョンマイコン４８が赤外線受光回路４６を介して同赤外線リモコン信号を受信し、対応するチャンネルを受信させるように周波数データをチューナ回路３２に送出する。またリモコン８０はテンキー８３、音量調節キー８２ａ，８２ｂ、上下左右カーソル移動キー８１ａ，８１ｂ，８１ｃ，８１ｄ、カーソル選択キー８１ｅ、およびメニューキー８７を備えている。
【００２４】
図５はリモコン８０の概略構成を示すブロック図である。リモコン８０は、制御回路９２を備え、同制御回路９２に接続された操作キー９１（図では３つの操作キーを例示）は図４のテンキー８３、音量調節キー８２ａ，８２ｂ、上下左右カーソル移動キー８１ａ，８１ｂ，８１ｃ，８１ｄ、カーソル選択キー８１ｅ、およびメニューキー８７にあたる。また制御回路９２には赤外線送信回路９６が接続されている。
【００２５】
赤外線送信回路９６は、図示しない赤外線発光素子を有しており、制御回路９２から出力される信号に対応した赤外線信号（無線信号）が、外部へ送信されるようになっている。制御回路９２は、ＣＰＵ９３、ＲＯＭ９４、ＲＡＭ９５等を備えている。そして、ＣＰＵ９３がＲＡＭ９５をワークエリアとして利用しながらＲＯＭ９４に記憶された所定のプログラムを実行し、リモコン８０全体の制御を行う。リモコン８０は、操作キーから操作入力を受け付け、入力された内容に対応する制御データを生成し、赤外線信号に変換して送信する。
【００２６】
（２）赤外線ＬＥＤの発光タイミング
スロットイン方式のＤＶＤドライブにおいては、ディスクの挿入を検知してディスクを引き込む必要があるため、挿入口付近に赤外線ＬＥＤ７０および赤外線センサ６８が対向して設置され、赤外線ＬＥＤ７０が間歇的に発光している。この発光間隔は、電源オンのときはＤＶＤマイコン６２によって実行される制御プログラムによって制御され、スタンバイ時はテレビジョンマイコン４８により実行される制御プログラムにて制御される。
【００２７】
制御の方法としては、トランジスタによるスイッチング回路を設けるなどして、テレビジョンマイコン４８またはＤＶＤマイコン６２からＬ／Ｈ出力することで、赤外線ＬＥＤ７０に流れる電流のオン／オフを制御すればよい。むろんそれ以外にもボタンスイッチとＩＣや電子回路とを組み合わせて赤外線ＬＥＤ７０に流れる電流のオン／オフを制御するなどしても構わない。
【００２８】
図６に赤外線ＬＥＤ７０の発光間隔を表すタイミングチャート示す。同図において、赤外線ＬＥＤ７０はＯＮのとき発光し、ＯＦＦのとき発光を停止する。赤外線ＬＥＤ７０は、第一パターンでは発光し続け、第二パターンでは一定間隔をおいて間歇的に発光し、第三パターンでは第二パターンよりも発光と次の発光の間隔を長くした間歇発光であり、第四パターンでは発光しない。電力消費量は第一パターン、第二パターン、第三パターン、第四パターンの順に少なくなり、第四パターンでは赤外線ＬＥＤ７０の電力消費量は０となる。
【００２９】
第二パターン発光の間隔としては、１秒であっても２秒であってその他のいかなる間隔であってもよく、様々な時間間隔を採用可能である。また、第三パターンの発光の間隔は、第二パターンよりも長く、経過時間とともに発光の間隔が次第に長くなるものとする。例えば、第二パターンの発光間隔を１秒間隔とすると、第三パターンでは初期状態では２秒間隔で発光し、時間の経過とともに３秒、４秒、と徐々にその間隔を延ばしていく。
【００３０】
従来においては、ＤＶＤ一体型テレビジョンを含むＤＶＤ機器は、電源オン時は図６の第一パターンのように赤外線ＬＥＤ７０は常に発光しており、スタンバイ時は図６の第二パターンのように赤外線ＬＥＤ７０は間歇的に発光して、電力消費を抑えつつディスクの挿入を監視している。また、ディスクがＤＶＤドライブに挿入され、ロードされている間も赤外線ＬＥＤ７０は発光し続けていた。従来の方法に、ディスク挿入中の赤外線ＬＥＤ７０の発光を停止する構成を加えた、電源オン時には第一パターン、スタンバイ時には第二パターン、ディスク挿入時は電源オン／スタンバイに関わらず第四パターン、のタイミングで赤外線ＬＥＤ７０を発光させる設定を通常設定とする。
【００３１】
本発明においては、上記通常設定以外に、通常設定よりも赤外線ＬＥＤ７０の発光を抑える節電設定を設けて、通常設定と節電設定とを選択可能とする。当該節電設定における赤外線ＬＥＤ７０の発光タイミングは、電源オン時には、ＤＶＤドライブにディスクが挿入されていないときには第一パターンとし、ＤＶＤドライブにディスクが挿入されているときには第四パターンをとるものとする。
【００３２】
一方、スタンバイ時には、まず第二パターンでディスクの挿入を監視し、所定の時間ディスクの挿入を検知しないときは、発光の間隔長い第三パターンに移行し、さらに所定の時間ディスクの挿入を検知しない場合はまったく発光しない第四パターンに移行する。さらにディスクがＤＶＤドライブに挿入されている間は、電源オン／スタンバイに関わらず、赤外線ＬＥＤ７０の発光を行わない第四パターンを取るものとする。むろん、電源オン時の節電設定における赤外線ＬＥＤ７０の発光パターンを、第一パターンではなく第二パターンとしても構わない。
【００３３】
（３）節電設定選択処理：
通常設定と節電設定の選択は、テレビジョンの各種設定を行うメニュー画面から行う。リモコン８０のメニューキー８７が押し下げ操作されると、図１０のようにメニュー画面が表示される。メニュー画面は「画質」、「音質」、「チャンネル設定」、「予約」、「待機電力優先」などの操作項目がいずれかの位置に対応させたカーソルとともにＯＳＤ表示される。
【００３４】
このときのテレビジョンマイコン４８は、メニュー画面の操作項目全てを表す情報をＲＯＭより取得して、いずれかの位置に対応させたカーソルとともにＯＳＤ表示させるＯＳＤ信号をＯＳＤ回路に生成させ、画像データ生成回路３４からの映像信号に当該生成したＯＳＤ信号を重畳し、ＯＳＤ信号を重畳した映像信号を画像データ生成回路３４に対して供給する。すると、画像データ生成回路３４にてＯＳＤ信号を重畳した映像信号に対応するＲＧＢ信号が生成され、パネル駆動回路３６は、画像データ生成回路３４から上記ＲＧＢ信号が入力されると、液晶表示パネル１４に表示する１画面分の画像データを生成して、液晶表示パネル１４に出力することにより、液晶表示パネル１４に画像データに基づく画像表示をさせる。
【００３５】
ここで、映像信号にＯＳＤ信号が重畳されているので、テレビジョン１０の画面にはカーソルとともに操作項目の一覧が表示される。このとき、ユーザーはこのメニュー画面に従ってリモコン６０に配置された操作キーを押し下げ操作することで操作項目の選択入力を行うことができる。そこで、テレビジョンマイコン４８は、赤外線受光回路から電圧信号を入力して対応するキー操作を検知することにより、リモコンから操作入力を受け付ける。ここで、上下左右カーソル移動キー８１ａ，８１ｂ，８１ｃ，８１ｄの操作を検知した場合、カーソルを上下左右に移動させる。
【００３６】
そして、カーソル移動キー８１ａ，８１ｂ，８１ｃ，８１ｄにてカーソルを「待機電力優先」にあわせてカーソル選択キー８１ｅを押し下げ操作すると、テレビジョンマイコン４８はＥＥＰＲＯＭ４４から現在の設定状態を示す情報を取得して、現在の設定状態が「通常設定」と「節電設定」のいずれであるかが表示されるとともに、「節電設定」を選択するか否かを選択する「ＹＥＳ」、「ＮＯ」の操作項目が図１１のように表示される
【００３７】
以下、通常設定と節電設定とを選択する際のテレビジョンマイコン４８の処理を、図９のフローチャートを参照して説明する。本フローはメニュー画面にて「待機電力優先」の操作項目が選択入力されたときに行われる。
【００３８】
処理を開始すると、まずステップＳ１００にてＥＥＰＲＯＭ４４に記憶されている「待機電力優先」の現在の設定を表す情報を取得してテレビジョンマイコン４８のＲＡＭに格納してステップＳ１１０に進む。ＥＥＰＲＯＭ４４に記憶される情報としては、「通常設定」のとき「０」、「節電設定」のときは「１」として、所定のアドレスに同情報が格納されているものとする。
【００３９】
ステップＳ１１０では、図１１のように、ステップＳ１００にて取得した情報に基づいて現在の設定を表示するとともに、操作項目「ＹＥＳ」と「ＮＯ」を、いずれかの操作項目にあわせたカーソルとともに表示してステップＳ１３０に進む。
【００４０】
ステップＳ１２５ではカーソル移動キーおよびカーソル選択キー８５ｅの操作入力を検知して受け付ける。カーソル選択キー８５ｅの操作を受け付けたときは、条件成立としてステップＳ１３０に進む。一方、カーソル移動キーの操作を検知すると、左右カーソル移動キー８１ｂ，８１ｄの操作を検知した場合はカーソルを左右に移動させ、上下カーソル移動キー８１ａ，８１ｃの操作を検知したときは何も行わず、条件不成立としてステップＳ１２５を繰り返す。
【００４１】
ステップＳ１２５で条件成立となり、ステップＳ１３０に進むと、カーソル選択キー８５ｅが押し下げ操作されたときにカーソルが選択中の操作項目が「ＹＥＳ」であったか「ＮＯ」であったかを判断する。「ＹＥＳ」を選択していた場合は条件成立としてステップＳ１４０に進み、「ＮＯ」を選択していた場合は条件不成立としてステップＳ１５０に進む。
【００４２】
ステップＳ１４０ではＥＥＰＲＯＭ４４の所定のアドレスに「節電設定」を示す「１」を記憶させて、テレビジョンマイコン４８のＲＡＭで実行中の制御プログラムの赤外線ＬＥＤ７０の発光タイミングを「節電設定」のタイミングで行わせるように変更させて、当フローを終了する。
【００４３】
一方ステップ１５０に進むと、ＥＥＰＲＯＭ４４の所定のアドレスに「通常設定」を示す「０」を記憶させて、テレビジョンマイコン４８のＲＡＭで実行中の制御プログラムの赤外線ＬＥＤ７０の発光タイミングを「通常設定」のタイミングに変更させて、当フローを終了する。
ステップＳ１４０を実行してフローを終了すると、図９のフローチャートに従って赤外線ＬＥＤに制御信号を出力する
一方、ステップＳ１５０を実行してフローを終了すると、テレビジョン１０が電源オン時は、テレビジョンマイコン４８にて実行される制御プログラムは図６の赤外線ＬＥＤ７０は図６の第一パターンのように赤外線ＬＥＤ７０を発光させる制御信号を出力し、赤外線ＬＥＤ７０に常時通電させて定常発光させる。一方、スタンバイ時には図６の第二パターンのように一定の時間間隔を置いて赤外線ＬＥＤ７０を発光させる制御信号を出力し、赤外線ＬＥＤ７０を間歇的に通電させて間歇発光させる。この場合、時間経過に関わらずスタンバイ時を通して、赤外線ＬＥＤ７０は第二パターンに従って間歇発光し続ける。
【００４４】
以上より、赤外線ＬＥＤ７０の発光タイミングを、第二パターンにて制御するテレビジョンマイコン４８で実行される制御プログラムが、上記タイマの計時結果に関わらず一定の発光間隔で上記赤外線ＬＥＤを発光させる第二間歇発光手段を構成する。
また、ステップＳ１００〜Ｓ１３０の処理を行うテレビジョンマイコン４８が、上記発光制御手段と上記第二発光制御手段とを切り換えて選択する発光方法選択手段を構成する。
【００４５】
図７のフローチャートを参照して節電設定実行時のテレビジョンマイコン４８の処理を説明する。当該フローは、電源オフのときを除いて、節電設定が選択されている間は繰り返し実行される。
処理が開始されると、テレビジョンマイコン４８はステップＳ１９５でスタンバイ状態であるか否かの判断を行う。スタンバイ状態の時は条件成立としてステップＳ２００に進む。一方、スタンバイ状態でないとき、すなわち電源オンの時は、ステップＳ１９６に進み、ＤＶＤマイコン６２に制御信号を出力し、赤外線ＬＥＤ７０の定常発光を開始させ、当該フローを終了する。
【００４６】
ステップＳ１９５で条件成立となりステップＳ２００に進むと、ステップＳ２００で発光間隔時間を初期化してＲＡＭに記憶させ、ステップＳ２１０に進む。当該フローにおける発光間隔時間の初期値は２秒とする。ステップＳ２１０ではＲＡＭに記憶された発光間隔時間に従って赤外線ＬＥＤ７０への制御信号出力を開始し、赤外線ＬＥＤ７０を間欠発光させ、ステップＳ２１１に進む。
【００４７】
ステップＳ２１１では、赤外線センサ６８の信号を監視することにより、ディスクがＤＶＤドライブ６０に挿入されたか否かを判断する。赤外線ＬＥＤ７０と赤外線センサ６８の間にディスクが挿入され、赤外線センサ６８が赤外線ＬＥＤ６８から赤外線を受光できなくなる旨の信号を出力すると、テレビジョンマイコン４８は同信号を検知する。この場合条件成立となり、ステップＳ２１２に進む。なお、ディスクがＤＶＤドライブ６０に挿入されていない場合は、テレビジョンマイコン４８は赤外線センサ６８からの信号を検知しないので条件不成立となりステップＳ２２０に進む。
【００４８】
ステップＳ２１２では、テレビジョン本体２０の電源をオンにするとともに、赤外線ＬＥＤ７０の発光を停止させてステップＳ２１３に進む。ステップＳ２１３では、ＤＶＤマイコン６２がＤＶＤドライブ６０からのディスクの排出を検知したときに出力する信号を監視し、ＤＶＤドライブ６０からディスクが排出されたか否かを判断する。ディスク排出ボタン７４が押し下げ操作されると、ローディングモータ６６がディスクを排出するとともに、ＤＶＤマイコン６２にディスク排出を示す信号を出力する。信号を検知したＤＶＤマイコン６２は、ディスクが排出された旨を示す信号をテレビジョンマイコン４８に出力し、テレビジョンマイコン４８は同信号を検出することによりディスクの排出を検知する。この場合条件成立となり当該フローを終了する。一方、同信号を検出しないときは条件不成立とし、ステップＳ２１３を繰り返す。
【００４９】
ステップＳ２１１で条件不成立となりステップＳ２２０に進むと、現在の発光間隔時間で発光を開始して経過した時間が、所定時間を超えたか否かを判断する。所定時間を超えていると条件成立としステップＳ２３０に進む。一方、所定時間を超えていないと条件不成立とし、ステップＳ２２０を繰り返す。当該所定時間としては任意の時間を採用可能である。
【００５０】
ステップＳ２３０ではＲＡＭに記憶された発光間隔時間を取得し、インクリメントしてＲＡＭに記憶させなおしてステップＳ２４０に進む。ステップＳ２４０では当該フローにてステップＳ２００が実行されてからの総時間が所定時間経過したか否かを判断する。所定時間経過していると条件成立としてステップＳ２５０に進む。一方、所定時間経過していないと判断されると条件不成立としてステップＳ２１０に戻り、ステップＳ２１０〜Ｓ２４０の処理を繰り返す。当該所定時間としてはステップＳ２２０の所定時間よりも長ければよく、任意の時間を採用可能である。
【００５１】
ステップＳ２４０で条件成立となりステップＳ２５０に進むと、赤外線ＬＥＤ７０の発光を停止してステップＳ２６０に進む。ステップＳ２６０ではテレビジョン本体２０の電源がオンされたか否かを判断する。電源がオンになるとテレビジョンマイコン４８は、その旨を示す制御信号を検知する。この場合条件成立として当該フローを終了する。一方、電源がオンにならず、スタンバイ状態である間は条件不成立としてステップＳ２６０を繰り返す。
【００５２】
以上より、図７のステップＳ２００，Ｓ２２０〜Ｓ２４０の処理を行うテレビジョンマイコン４８が、タイマの計時結果に基づいて計時が長くなるにつれて発光間隔の時間を長くする発光間隔設定手段を構成する。
また、図７のステップＳ２００の処理を行うテレビジョンマイコン４８が、設定された発光間隔の時間に基づいて上記赤外線ＬＥＤを間欠的に発光させる発光制御手段を構成する。
【００５３】
図８のフローチャートを参照しながら、通常設定実行時のテレビジョンマイコン４８の処理を説明する。当該フローは、通常設定が選択されている間は繰り返し実行されている。
処理を開始すると、まず、テレビジョンマイコン４８はステップＳ３００でスタンバイ状態であるか否かの判断を行う。スタンバイ状態の時は条件成立としてステップＳ３１０に進む。一方、スタンバイ状態でないとき、すなわち電源オンの時は、ステップＳ３５０に進み、ＤＶＤマイコン６２に制御信号を出力し、赤外線ＬＥＤ７０の定常発光を開始させ、当該フローを終了する。
【００５４】
ステップＳ３１０では、図６の第二パターンのように、一定間隔で赤外線ＬＥＤへ制御信号出力を開始し、赤外線ＬＥＤ７０を間欠発光させ、ステップＳ３２０に進む。
ステップＳ３２０では赤外線センサ６８の信号を監視することにより、ディスクがＤＶＤドライブ６０に挿入されたか否かを判断する。赤外線ＬＥＤ７０と赤外線センサ６８の間にディスクが挿入され、赤外線センサ６８が赤外線ＬＥＤ６８から赤外線を受光できなくなる旨の信号を出力すると、テレビジョンマイコン４８は同信号を検知する。この場合条件成立となり、ステップＳ３３０に進む。なお、ディスクがＤＶＤドライブ６０に挿入されていない場合は、テレビジョンマイコン４８は赤外線センサ６８からの信号を検知しないので条件不成立となりステップＳ３２０を繰り返す。
【００５５】
ステップＳ３３０では、テレビジョン本体２０の電源をオンにするとともに、赤外線ＬＥＤ７０の発光を停止させてステップＳ３４０に進む。
ステップＳ３４０では、ＤＶＤマイコン６２がＤＶＤドライブ６０からのディスクの排出を検知したときに出力する信号を監視し、ＤＶＤドライブ６０からディスクが排出されたか否かを判断する。ディスク排出ボタン７４が押し下げ操作されると、ローディングモータ６６がディスクを排出するとともに、ＤＶＤマイコン６２にディスク排出を示す信号を出力する。信号を検知したＤＶＤマイコン６２は、ディスクが排出された旨を示す信号をテレビジョンマイコン４８に出力し、テレビジョンマイコン４８は同信号を検出することによりディスクの排出を検知する。この場合条件成立となり当該フローを終了する。一方、同信号を検出しないときは条件不成立とし、ステップＳ３４０を繰り返す。
【００５６】
次に、上記構成からなる本実施形態の動作を説明する。
ＤＶＤの鑑賞をすることが少ない人や、省エネに関心があって待機電力を出来る限り削減したいと考える人は、メニュー画面の「省エネ」設定から「節電設定」を選択することで、待機電力の削減を行うことができる。メニュー画面が表示されると、ユーザは、カーソル移動キー８１ａ，８１ｂ，８１ｃ，８１ｄにてカーソルを「待機電力優先」にあわせてカーソル選択キー８１ｅを押し下げ操作する。すると、テレビジョンマイコン４８はＥＥＰＲＯＭ４４から現在の設定状態を示す情報を取得して（ステップＳ１００）、現在の設定状態が「通常設定」と「節電設定」のいずれであるかを表示するとともに、「節電設定」を選択するか否かを選択する「ＹＥＳ」、「ＮＯ」の操作項目を図１１のように表示する（ステップＳ１１０）。
【００５７】
そして、ユーザがカーソル移動キー８１ａ，８１ｂ，８１ｃ，８１ｄを押し下げ操作してカーソルを「ＹＥＳ」にあわせ、カーソル選択キー８１ｅを押し下げ操作すると、テレビジョンマイコン４８は、赤外線受光回路４６からカーソル移動キーおよびカーソル選択キーのキー操作の電圧信号の入力を検知することにより、カーソル移動キーおよびカーソル選択キーのいずれかが押し下げ操作されたか否かを判断する（ステップＳ１２５）。ユーザーがリモコン８０上のカーソル移動キーおよびカーソル選択キーのいずれかを押し下げ操作すると赤外線送信部８５より当該キーに応じた赤外線信号を所定のフォーマットで送出する。すると、テレビジョンマイコン４８は、赤外線受光回路４６を介してリモコンからの同赤外線信号を受信し、同赤外線信号に前記キーの操作に対応する情報（以下、カーソルキー情報）が含まれることを検知し、カーソル選択キー押し下げ操作時にカーソルが選択中であった操作項目「ＹＥＳ」に対応する情報を取得する。
【００５８】
このとき受信したカーソルキー情報がカーソル移動キーの情報であればカーソルを対応する方向に移動させた後、条件不成立としてステップＳ１２５を繰り返す。一方、受信したカーソルキー情報がカーソル選択キーのものであれば、条件成立となり、ステップＳ１３０に進む。なお、リモコン６０のカーソル移動キーおよびカーソル選択キーのいずれも押し下げ操作されていないと、テレビジョンマイコン４８はカーソルキーの操作を検知しないので、条件不成立となってステップＳ１２５の判断処理を繰り返しつつ、ユーザの操作入力を待つ。
【００５９】
ステップＳ１３０では、ステップＳ１２５でカーソル選択キーが押し下げ操作されたときにカーソルが選択中の操作項目が「ＹＥＳ」と「ＮＯ」のいずれであったかをテレビジョンマイコン４８が判断する。ユーザは「ＹＥＳ」を選択しているためステップＳ１４０に進み、テレビジョンマイコン４８がＥＥＰＲＯＭ４４の所定のアドレスに「節電設定」を表す「１」を格納するとともにテレビジョンマイコン４８のＲＡＭにて実行中の制御プログラムに「節電設定」を実行させる。
【００６０】
すると、テレビジョン１０が電源オン時は、テレビジョンマイコン４８にて実行される制御プログラムがＲＡＭに記憶された発光間隔時間に従って赤外線ＬＥＤ７０へ制御信号出力を開始し、赤外線ＬＥＤ７０は図６の第一パターンに従って定常発光する（ステップＳ１９６）。
【００６１】
一方、スタンバイ時には図６の第二パターンのように間歇発光を開始する（ステップＳ２００〜Ｓ２１０）。そして所定時間経過するごとに、テレビジョンマイコン４８にて実行される制御プログラムがＲＡＭに記憶された発光間隔時間をインクリメントするため、発光間隔は徐々に長くなる（ステップＳ２２０〜Ｓ２４０）。そして発光が開始されてからの総時間が所定時間経過すると、テレビジョンマイコン４８からの制御信号の出力が停止されて、赤外線ＬＥＤ７０の発光が停止する（ステップＳ２４０〜Ｓ２６０）。
【００６２】
さらに、スタンバイ時に、赤外線ＬＥＤ７０が発光している間にディスクの挿入を検知すると（ステップＳ２１１）、テレビジョンマイコン４８はテレビジョン本体の電源をオンにするとともに、赤外線ＬＥＤ７０に対する制御信号の出力を停止し、赤外線ＬＥＤ７０は発光を停止する（ステップＳ２１２）。
【００６３】
一方、ユーザーが利便性を優先する場合は、ユーザは従来どおりにディスクの挿入を監視する「通常設定」選択することが出来る。このときはステップＳ１２０までは「節電設定」を選択する際と同様の操作をすればよい。そして、ユーザはカーソル移動キー８１ａ，８１ｂ，８１ｃ，８１ｄを押し下げ操作してカーソルを「ＮＯ」にあわせて、カーソル選択キー８１ｅを押し下げ操作する（ステップＳ１２５）。するとテレビジョンマイコン４８は、カーソル選択キー押し下げ操作時にカーソルが選択中であった操作項目「ＮＯ」に対応する情報を取得する。カーソル移動キーおよびそれ以外のキーが操作されたときのテレビジョンマイコン４８の処理は「節電設定」と同様である。
【００６４】
そしてステップＳ１３０では、ステップＳ１２５でカーソル選択キーが押し下げ操作されたときにカーソルが選択中の操作項目が「ＹＥＳ」と「ＮＯ」のいずれであったかをテレビジョンマイコン４８が判断する。ユーザは「ＮＯ」を選択しているためステップＳ１５０に進み、テレビジョンマイコン４８がＥＥＰＲＯＭ４４の所定のアドレスに「通常設定」を表す「０」を格納するとともにテレビジョンマイコン４８のＲＡＭにて実行中の制御プログラムに「通常設定」を実行させる。
【００６５】
すると、テレビジョン１０が電源オン時は、赤外線ＬＥＤ７０は図６の第一パターンに従って定常発光する（ステップＳ３５０）。また、スタンバイ時には図６の第二パターンのように間歇発光を開始する（ステップＳ３１０）。またスタンバイ時に、ディスクの挿入を検知すると（ステップＳ３２０）、テレビジョンの電源をオンにするとともに、赤外線ＬＥＤ７０に対する制御信号の出力を停止し、赤外線ＬＥＤ７０は発光を停止する（ステップＳ３４０）。
【００６６】
（４）変形例：
また、節電設定の開始時刻と終了時刻を指定し、通常設定と節電設定とを変更して適用する設定としても構わない。このとき、開始時刻前は通常設定が実行され、開始時刻になると節電設定が実行され、終了時刻になると節電設定が終了されて通常設定が実行される。
【００６７】
テレビジョンが家庭で使用されており、ユーザが平日の昼間に仕事のために使用しないならば、その間テレビジョンは使用されない。従って、平日の午前９時〜午後５時までは節電設定とし、ユーザが帰宅してＤＶＤを観賞しそうな午後５時〜午前０時および午前６時〜午前９時は通常設定とし、ユーザが就寝する午前０時〜午前６時までは節電設定とする。むろん時刻だけでなく、曜日や日付も含めて開始時刻と終了時刻をしても構わない。
【００６８】
図１２のフローチャートを参照して開始時刻と終了時刻を指定して節電設定を実行するときのマイコンの処理を説明する。当該フローはテレビジョンが起動されたときに実行される。
処理が開始されると、テレビジョンマイコン４８はステップＳ４００でＥＥＰＲＯＭ４４に記憶された開始時刻および終了時刻を表す情報を取得してステップＳ４１０に進む。 ステップＳ４１０では、赤外線ＬＥＤ７０を通常設定で発光開始させる。
【００６９】
そしてステップＳ４２０に進むとステップＳ４００で取得した開始時刻とタイマ回路５０から取得した現在時刻とを比較して、開始時刻を経過しているか否かを判断する。現在時刻が開始時刻を経過していれば、条件成立としてステップＳ４３０に進む。一方、現在時刻が開始時刻を経過していなければ条件不成立としてステップＳ４２０の判断を繰り返す。
【００７０】
ステップＳ４３０では、赤外線ＬＥＤ７０を節電設定で発光開始させる。
そしてステップＳ４４０ではステップＳ４００で取得した終了時刻とタイマ回路５０から取得した現在時刻とを比較して、終了時刻を経過しているか否かを判断する。現在時刻が終了時刻を経過していれば、条件成立としてステップＳ４１０に進みステップＳ４１０〜Ｓ４４０の処理を繰り返す。一方、現在時刻が終了時刻を経過していなければ条件不成立としてステップＳ４４０の判断を繰り返す。
【００７１】
以上より開始時刻と終了時刻を表す情報を記憶しているＥＥＰＲＯＭ４４が、上記発光制御手段を開始する開始日時と終了する終了日時とを記憶する記憶手段を構成する。
また、図１２のステップＳ４００〜Ｓ４４０の処理を行うテレビジョンマイコン４８が、上記記憶媒体より上記開始日時と上記終了日時とを取得するとともに、上記タイマ手段の日時が上記開始日時となると上記発光制御手段を実行し、上記終了日時となると上記発光制御手段を停止する予約実行手段を構成する
【００７２】
（５）まとめ：
つまり、本発明においては、スロットイン方式のＤＶＤドライブ６０を備えるテレビジョン１０において、メニュー画面より「通常設定」と「節電設定」とを選択可能とする。節電設定では、電源オン時はディスク挿入を監視するために発光している赤外線ＬＥＤ７０を常時発光させるとともに、スタンバイ時は赤外線ＬＥＤ７０の発光間隔を徐々に長くし、所定時間経過後に発光を停止させる。一方、通常設定では従来どおり電源オン時は赤外線ＬＥＤ７０を常時発光させ、スタンバイ時は一定の時間間隔を置いて間歇的に発光させる。
【００７３】
以上説明したように、本実施例に対応する請求項２にかかる発明は、外部の商用電源等から電源電圧の供給を受けて各回路へ供給可能な電源回路と、スロットイン方式のディスク状記録媒体読取装置と、上記ディスク状記録媒体読取装置へのディスク状記録媒体挿入を検知する赤外線ＬＥＤと赤外線センサとから成るディスク状記録媒体挿入検知センサと、所定の経過時間を計時するタイマと、上記タイマの計時結果に基づいて計時が長くなるにしたがって発光間隔の時間を長くする発光間隔設定手段と、上記発光間隔に基づいて上記赤外線ＬＥＤを間欠的に発光させる発光制御手段とを備える構成としてある。
【００７４】
つまり、上記発光間隔設定手段は、上記タイマの計時する所定の経過時間に基づいて計時が長くなるに従って発光間隔の時間を長くし、上記発光制御手段が上記発光間隔に基づいて赤外線ＬＥＤを間欠的に発光させて、上記ディスク状記録媒体読取装置へのディスク状記録媒体挿入を、上記ディスク状記録媒体挿入検知センサが検知する。
【００７５】
上記ディスク状記録媒体としては、ＤＶＤであってもＣＤであってもよく、ディスク状の記録媒体であればいかなる形態のものであっても構わない。また上記間歇発光手段は、上記赤外線ＬＥＤを間歇的に発光させることが可能であればいかなるものであってもよく、マイコンであってもＩＣであっても電子回路であっても構わない。
上記のように構成した請求項２に記載の発明においては、赤外線ＬＥＤの発光間隔を徐々に延ばすため、スタンバイ時やＤＶＤドライブを使用せずにテレビジョンのみを使用している場合などに、ユーザの利便性を損なわずに徐々に待機電力を減らしていくことが出来る。
【００７６】
また請求項３では、上記請求項２に記載のテレビジョンにおいて、上記発光制御手段は、上記ディスク状記録媒体読取装置がディスク状記録媒体をロード中は上記赤外線ＬＥＤの発光を停止させる構成としてある。
上記のように構成した請求項３に記載の発明においては、ＤＶＤドライブにディスクが挿入されている間はディスクの挿入を監視する必要がないため、この間の赤外線ＬＥＤの発光を停止させることにより、消費電力を削減することが可能となる。
【００７７】
そして請求項４では、上記請求項２または３に記載のテレビジョンにおいて、上記テレビジョンは、上記タイマの計時結果に関わらず一定の発光間隔で上記赤外線ＬＥＤを発光させる第二発光制御手段と、上記発光制御手段と上記第二発光制御手段とを切り換えて選択する発光方法選択手段とを備える構成としてある。
上記第二発光制御手段としては、一定の間隔で赤外線ＬＥＤを発光させることができればよく、トランジスタをマイコンで制御するものや、スイッチとＩＣや電子回路とを組み合わせたものなど様々な構成が採用可能である。また、上記発光方法選択手段としては、上記発光制御手段と上記第二発光制御手段とを切り換えて選択することが出来ればいかなるものであってもよく、マイコンにて実行されるプログラムや、スイッチを備えた電子回路やＩＣなど様々な構成が採用可能である。
上記のように構成した請求項４に記載の発明においては、赤外線ＬＥＤを間歇的に発光させるとき、発光間隔を徐々に延ばしていく設定と、一定の間隔で発光させ続ける設定とを選択可能となるため、発光間隔が長くなると利便性が落ちると感じるユーザにも対応可能となる。
【００７８】
さらに請求項５では、上記請求項２〜４のいずれかに記載のテレビジョンにおいて、上記発光制御手段は、上記発光間隔が所定の間隔以上になると、上記赤外線ＬＥＤの発光を停止させる構成としてある。
当該請求項５における上記所定の時間としては、５分でも１０分でも１時間でも、様々な時間が採用可能である。
上記のように構成した請求項５に記載の発明においては、赤外線ＬＥＤの発光を完全に停止させるため、待機電力を大きく削減することが可能となる。
【００７９】
また請求項６では、上記タイマは時刻を保持し、上記テレビジョンは、上記発光制御手段を開始する開始日時と終了する終了日時とを記憶する記憶手段と、上記記憶媒体より上記開始日時と上記終了日時とを取得するとともに、上記タイマ手段の日時が上記開始日時となると上記発光制御手段を実行し、上記終了日時となると上記発光制御手段を停止する予約実行手段とを備える構成としてある。
上記開始日時および上記終了日時としては、一定の時間の中で規則性を持って指定可能であればいかなるものであってもよく、一日の中の時刻で指定されてもよく、一週間の中の曜日で指定されてもよく、また一年の中の月日で指定されてもよく、様々な指定の仕方が可能である。
上記のように構成した請求項６に記載の発明においては、ユーザの生活スタイルに合わせて赤外線ＬＥＤの発光を方法を指定できるため、ユーザの利便性を損なうことなく、待機電力の削減を行うことが可能となる。
【００８０】
以上の構成を踏まえた上で、請求項１の発明は、映像を画面に表示する平坦な表示面を前面に向けた液晶表示パネルと、音声を出力するスピーカと、テレビ放送を受信して映像を上記液晶表示パネルに表示させるとともに音声を上記スピーカにて出力させる主基板と、上記液晶表示パネルと上記スピーカと上記主基板とを収容する樹脂製のキャビネットと、赤外線センサと赤外線ＬＥＤとが対向して設置され、上記赤外線センサと上記赤外線ＬＥＤとの間にディスクが挿入されるとディスクの挿入を検知してディスクを内部に引き込むスロットイン方式のＤＶＤドライブと、所定の経過時間を計時するタイマと、上記赤外線ＬＥＤの発光タイミングを制御するマイコンとを備えるＤＶＤ一体型テレビジョンにおいて、上記マイコンは、複数の発光タイミングを組み合わせた節電設定と通常設定とを選択して実行可能であり、上記節電設定においては、上記テレビジョンの電源がオンの時は上記赤外線ＬＥＤを常時発光させ、上記テレビジョンがスタンバイ時にはまず一定の時間間隔を置いて上記赤外線ＬＥＤを間歇的に発光させたのち、徐々に赤外線ＬＥＤの発光間隔を長くして間歇的に発光させ、さらに所定の時間経過後に上記赤外線ＬＥＤの発光を停止させ、ディスクが上記ＤＶＤドライブに挿入されている間は上記赤外線ＬＥＤの発光を停止させ、上記通常設定においては、上記テレビジョンの電源がオンの時は上記赤外線ＬＥＤを常時発光させ、上記テレビジョンがスタンバイ時には常に所定の時間間隔を置いて上記赤外線ＬＥＤを間歇的に発光させ、ディスクが上記ＤＶＤドライブに挿入されている間は上記赤外線ＬＥＤの発光を停止させる構成としてある。
【００８１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００８２】
【図１】スロットイン方式ＤＶＤドライブ一体型液晶テレビジョンの外観図である。
【図２】スロットイン方式ＤＶＤドライブ一体型液晶テレビジョンの概略ブロック図である。
【図３】スロットイン方式ＤＶＤドライブの断面図である。
【図４】本発明のリモコンの一例を示す図である。
【図５】本発明のリモコンの概略構成を示すブロック図である。
【図６】赤外線ＬＥＤの発光タイミングを示すタイミングチャートである。
【図７】節電設定実行時のテレビジョンマイコンの処理を示すフローチャートである。
【図８】通常設定実行時のテレビジョンマイコンの処理を示すフローチャートである。
【図９】節電設定と通常設定とを選択する際のマイコンの処理を示すフローチャートである。
【図１０】メニュー画面の一例である。
【図１１】待機電力優先を設定する画面の一例である。
【図１２】通常設定実行時のテレビジョンマイコンの処理を示すフローチャートである。
【符号の説明】
【００８３】
１０…テレビジョン
１２…キャビネット
１４…液晶表示パネル
１６…脚部
２０…テレビジョン本体
３０…テレビジョン部
３２…チューナ回路
３３…チューナ
３４…画像データ生成回路
３６…パネル駆動回路
３８…バックライト
４０…インバータ回路
４２…電源回路
４４…ＥＥＰＲＯＭ
４６…赤外線受光回路
４８…テレビジョンマイコン
６０…ＤＶＤドライブ（ＤＶＤ部）
６２…ＤＶＤマイコン
６４…ディスク回転モータ
６６…ローディングモータ
６８…赤外線センサ
７０…赤外線ＬＥＤ
７２…光ピックアップ
８０…リモコン
【図１】
2007141413.tif 000003
【図２】
2007141413.tif 000004
【図３】
2007141413.tif 000005
【図４】
2007141413.tif 000006
【図５】
2007141413.tif 000007
【図６】
2007141413.tif 000008
【図７】
2007141413.tif 000009
【図８】
2007141413.tif 000010
【図９】
2007141413.tif 000011
【図１０】
2007141413.tif 000012
【図１１】
2007141413.tif 000013
【図１２】
2007141413.tif 000014